(57)【要約】【課題】印刷画像が変化して見える書籍において、画像が明るく、シャープかつ細やかな描画もできる書籍を提供することとする。【解決手段】印刷画像が変化して見える書籍において、複数本のシリンドリカルレンズを一方向に連続的に配列してなるレンチキュラーレンズ（１）と、各シリンドリカルレンズに対応して複数の細長画像を連続的に配列してなるレンチキュラー画像（２）が印刷され、この印刷面とレンチキュラーレンズ（１）の平面部とを面接触させながらシリンドリカルレンズの配列方向と同じ方向へレンチキュラーレンズ（１）に対して相対的平行移動させることによりレンチキュラーレンズ（１）を通して見える画像を変化させることができる平面基材（３）とを含むことを特徴とする書籍を用いる。【選択図】  図２
2012000965.tif 000002
【特許請求の範囲】
【請求項１】
印刷画像が変化して見える書籍において、
複数本のシリンドリカルレンズを一方向に連続的に配列してなるレンチキュラーレンズ（１）と、
各シリンドリカルレンズに対応して複数の細長画像を連続的に配列してなるレンチキュラー画像（２）が印刷され、この印刷面とレンチキュラーレンズ（１）の平面部とを面接触させながらシリンドリカルレンズの配列方向と同じ方向へレンチキュラーレンズ（１）に対して相対的平行移動させることによりレンチキュラーレンズ（１）を通して見える画像を変化させることができる平面基材（３）と
を含むことを特徴とする書籍。
【請求項２】
見開き前頁（４）の開閉に連動して見開き次頁（５）に設けた平面基材（３）に対してレンチキュラーレンズ（１）を相対的平行移動させるために、
見開き前頁（４）ののど側にレンチキュラーレンズ（１）の一端を固定し、他端側を見開き次頁（５）に設けた平面基材（３）に面接触するように重ねて構成してなる請求項１に記載の書籍。
【請求項３】
レンチキュラーレンズ（１）と平面基材（３）との面接触を保たさせるための面接触保持部材（８）を見開き次頁（５）に設けた請求項２に記載の書籍。
【請求項４】
見開き前頁（４）の開閉に連動して見開き次頁（５）に設けたレンチキュラーレンズ（１）に対して平面基材（３）を相対的平行移動させるために、
見開き前頁（４）ののど側に平面基材（３）の一端を固定し、他端側を見開き次頁（５）に設けたレンチキュラーレンズ（１）に面接触するように重ねて構成してなる請求項１に記載の書籍。
【請求項５】
平面基材（３）とレンチキュラーレンズ（１）との面接触を保たさせるための面接触保持部材（８）を見開き次頁（５）に設けた請求項４に記載の書籍。
【請求項６】
束と同じ長さを有する連結部材（９）を介して表表紙又は裏表紙の小口側にレンチキュラーレンズ（１）の一端を固定して、他端側を小口を回り込むようにして各頁に設けた平面基材（３）に面接触するように重ね合わせることができるように構成してなる請求項１に記載の書籍。
【請求項７】
平面基材（３）を含む頁に凹部又は貫通孔（６）を設け、頁の凹部又は貫通孔（６）よりも小口側の箇所にレンチキュラーレンズ（１）の一端を固定し、他端側を平面基材（３）に面接触するように重ねて構成して、
凹部又は貫通孔（６）に重なったレンチキュラーレンズ（１）を押したり離したりすることにより平面基材（３）に対してレンチキュラーレンズ（１）を相対的平行移動できるように構成してなる請求項１に記載の書籍。
【請求項８】
レンチキュラーレンズ（１）と平面基材（３）との面接触を保たさせるための面接触保持部材（８）を、平面基材（３）を含む頁に設けた請求項７に記載の書籍。
【請求項９】
レンチキュラーレンズ（１）に対して平面基材（３）が相対的平行移動しないようにレンチキュラーレンズ（１）及び平面基材（３）を固定してなる請求項１に記載の書籍。
【請求項１０】
レンチキュラーレンズのピッチが０．１〜０．４ｍｍである請求項１〜９のいずれかに記載の書籍。
【発明の詳細な説明】
【技術分野】
【０００１】
本発明は、印刷画像が変化して見える書籍に関する。
【背景技術】
【０００２】
印刷画像が変化して見える書籍としては、四種類の画像を元にして作成されたグリッド状の合成画像を配置した合成画像シートの上部に透過部と遮蔽部を規則的に配したマスクシートを設け、マスクシートの移動範囲を隣合う画像の一マスとし、特定の四箇所を画像表示地点に定め、且つ画像表示地点で一時停止できるように形成されたストッパーを設けたスライド式画像変化表示装置等（特許文献１〜４）を応用した本（「サーカスがやってきた」、よぐちたかお著、福音館書店発行、２０００年）が知られている。
【先行技術文献】
【特許文献】
【０００３】
【特許文献１】特開昭５５−７３０８６号公報
【特許文献２】特開平１１−３２７４７９号公報
【特許文献３】特開２００２−５５６４０号公報
【特許文献４】実用新案登録第３１４７３１５号公報
【発明の概要】
【発明が解決しようとする課題】
【０００４】
従来の印刷画像が変化して見える書籍では、透過部と遮蔽部とを有するマスクシートを重ねて見るため、画像が暗く、かつシャープさに欠けるという問題の他に、細やかな描画ができないという問題がある。
そこで、本発明の目的は、印刷画像が変化して見える書籍において、画像が明るく、シャープかつ細やかな描画もできる書籍を提供することとする。
【課題を解決するための手段】
【０００５】
本発明の書籍の特徴は、印刷画像が変化して見える書籍において、
複数本のシリンドリカルレンズを一方向に連続的に配列してなるレンチキュラーレンズ（１）と、
各シリンドリカルレンズに対応して複数の細長画像を連続的に配列してなるレンチキュラー画像（２）が印刷され、この印刷面とレンチキュラーレンズ（１）の平面部とを面接触させながらシリンドリカルレンズの配列方向と同じ方向へレンチキュラーレンズ（１）に対して相対的平行移動させることによりレンチキュラーレンズ（１）を通して見える画像を変化させることができる平面基材（３）と
を含む点を要旨とする。
【０００６】
レンチキュラーレンズ（１）は、複数本のシリンドリカルレンズ（かまぼこ状のレンズ）を一方向に連続的に配列してなるシート状のものであって、光線の分割、集光、散乱により、立体写真、立体映像、スクリーン等に使われているものをそのまま使用できる。
【０００７】
レンチキュラーレンズ（１）の大きさは、レンチキュラーレンズ画像（２）と同じか、これよりも僅かに大きい程度でよい。レンチキュラーレンズ（１）の材質は、ガラスや有機ポリマーが含まれるが、製造しやすさや安全性の観点から、有機ポリマーが好ましく、さらに好ましくはポリメタクリレートである。
【０００８】
レンチキュラーレンズ（１）は、着色されていてもよいし、一部に画像が印刷されていてもよい。
【０００９】
平面基材（３）には、各シリンドリカルレンズに対応して複数の細長画像を連続的に配列してなるレンチキュラー画像（２）が印刷され、この印刷面とレンチキュラーレンズ（１）の平面部とを面接触させながらシリンドリカルレンズの配列方向と同じ方向へレンチキュラーレンズ（１）に対して相対的平行移動させることによりレンチキュラーレンズ（１）を通して見える画像を変化させることができる。
【００１０】
平面基材（３）には、各シリンドリカルレンズに対応して複数の細長画像を連続的に配列してなるレンチキュラー画像（２）の他に、文字（文章を含む）や、絵、普通の画像等が印刷されていてもよい。
【００１１】
平面基材（３）には、たとえば、ジャングルの風景と共に、ライオン等の動物が走っているレンチキュラー画像や木々の間に鳥が飛び立つレンチキュラー画像を印刷したり、ゴルフのスイングを解説した文章やゴルフ場の風景と共に、プロゴルファーのスイングのレンチキュラー画像を印刷したり、スキーのフォームを解説した文章やスキー場のコースと共に、スキーヤーの滑走シーンのレンチキュラー画像を印刷したり、町の風景と共に、特定の建築物のレンチキュラー画像を印刷したりできる。この印刷面とレンチキュラーレンズ（１）の平面部とを面接触させながらシリンドリカルレンズの配列方向と同じ方向へレンチキュラーレンズ（１）に対して相対的平行移動させることにより、レンチキュラーレンズ（１）を通して見える画像が変化（チェンジング、立体化）して見える。
【００１２】
レンチキュラー画像は、市場から入手できるレンチキュラー画像作成ソフトウェア等により容易に調製できる。
【００１３】
レンチキュラーレンズ（１）とレンチキュラー画像（２）とは、面接触させながら相対的平行移動するときに各シリンドリカルレンズと複数の細長画像とが対応するように配置する。この配置がずれると、画像が変化したとしても正常な画像とならない場合がある。
【００１４】
本発明の書籍は、レンチキュラーレンズ（１）と平面基材（３）とを含んでいれば、全ての頁にこれらを含んでもよいし、全ての頁のうち一部の頁にだけ含んでもよい。すなわち、本発明の書籍には、少なくとも一つのレンチキュラーレンズ（１）と少なくとも一つの平面基材（３）とを含んでいればよい。
【００１５】
本発明の書籍は、見開き前頁（４）の開閉に連動して見開き次頁（５）に設けた平面基材（３）に対してレンチキュラーレンズ（１）を相対的平行移動させるために、見開き前頁（４）ののど側（書籍の綴じ代の側であって、頁を開いたときの内側）にレンチキュラーレンズ（１）の一端を固定し、他端側を見開き次頁（５）に設けた平面基材（３）に面接触するように重ねて構成することが好ましい。
レンチキュラーレンズ（１）は平面基材（３）の印刷面と面接触するように重なるようにする。
【００１６】
レンチキュラーレンズ（１）の一端を固定する箇所（一端の全体を固定する場合、一端の少なくとも２箇所を固定する場合の両方を含む）は、のどに対して平行になるように固定し、また、見開き前頁（４）の開閉に連動して、見開き前頁（４）に対してこの固定部分を中心に自在に折れ曲がるように固定する。
【００１７】
レンチキュラーレンズ（１）は、シリンドリカルレンズの配列方向がのどに対して垂直になるようにして、すなわち、のどに対して平行にシリンドリカルレンズが配列するようにして固定される。
【００１８】
見開き前頁（４）を閉じた状態から１８０度開いた状態にすると、レンチキュラーレンズ（１）の一端を固定した箇所からのどまでの長さの２倍の距離だけ、見開き前頁（４）の方向へレンチキュラーレンズ（１）が相対的平行移動する。したがって、レンチキュラーレンズ（１）の一端を固定する箇所（のどまでの長さ）を調整することによって、レンチキュラーレンズ（１）の相対的平行移動する距離を調整できる。
【００１９】
見開き前頁（４）ののど側にレンチキュラーレンズ（１）の一端を固定した上記の書籍には、レンチキュラーレンズ（１）と平面基材（３）との面接触を保たさせるための面接触保持部材（８）を見開き次頁（５）に設けることが好ましい。
【００２０】
面接触保持部材（８）は、レンチキュラーレンズ（１）と平面基材（３）との面接触を保たさせることができれば、構造等に制限はなく、たとえば、見開き次頁（５）を袋とじにして、その一部に開口部を設けて、袋とじの中に平面基材（３）を配設し｛平面基材（３）と開口部付基材とから見開き次頁（５）を構成してもよい）｝、レンチキュラーレンズ（１）の一端から袋の中に差込み、開口部からレンチキュラーレンズ（１）及びレンチキュラー画像（２）が見えるようにしてもよいし、レンチキュラーレンズ（１）の両端部（書籍の天側と地側）を押さえるスライダーを設けたり、見開き次頁（５）ののど側に帯状のスライダーを設けてレンチキュラーレンズ（１）を押さえるようにしてもよい。
【００２１】
本発明の書籍は、見開き前頁（４）の開閉に連動して見開き次頁（５）に設けたレンチキュラーレンズ（１）に対して平面基材（３）を相対的平行移動させるために、見開き前頁（４）ののど側に平面基材（３）の一端を固定し、他端側を見開き次頁（５）に設けたレンチキュラーレンズ（１）に面接触するように重ねて構成することが好ましい。
レンチキュラーレンズ（１）は平面基材（３）の印刷面と面接触するように重なるようにする。
【００２２】
平面基材（３）の一端を固定する箇所（一端の全体を固定する場合、一端の少なくとも２箇所を固定する場合の両方を含む）は、のどに対して平行になるように固定し、また、見開き前頁（４）の開閉に連動して、見開き前頁（４）に対してこの固定部分を中心に自在に折れ曲がるように固定する。
【００２３】
レンチキュラーレンズ（１）は、シリンドリカルレンズの配列方向がのどに対して垂直になるようにして、すなわち、のどに対して平行にシリンドリカルレンズが配列するようにして、見開き次頁（５）に固定される。
【００２４】
見開き前頁（４）を閉じた状態から１８０度開いた状態にすると、平面基材（３）の一端を固定した箇所からのどまでの長さの２倍の距離だけ、見開き前頁（４）の方向へ平面基材（３）が相対的平行移動する。したがって、平面基材（３）の一端を固定する箇所（のどまでの長さ）を調整することによって、平面基材（３）の相対的平行移動する距離を調整できる。
【００２５】
見開き前頁（４）ののど側に平面基材（３）の一端を固定した上記の書籍には、平面基材（３）とレンチキュラーレンズ（１）との面接触を保たさせるための面接触保持部材（８）を見開き次頁（５）に設けることが好ましい。
【００２６】
面接触保持部材（８）は、平面基材（３）とレンチキュラーレンズ（１）との面接触を保たさせることができれば、構造等に制限はなく、たとえば、見開き次頁（５）を袋とじにして、その一部に開口部を設け、開口部をレンチキュラーレンズ（１）で塞ぎ、平面基材（３）の一端から袋の中に差込み、開口部からレンチキュラー画像（２）が見えるようにしてもよいし、平面基材（３）の両端部（書籍の天側と地側）を押さえるスライダーを設けたり、見開き次頁（５）ののど側に帯状のスライダーを設けて平面基材（３）を押さえるようにしてもよい。
【００２７】
本発明の書籍は、束（書籍の表紙を除いた中味部分の厚さ）と同じ長さを有する連結部材（９）を介して表表紙又は裏表紙にレンチキュラーレンズ（１）の一端を固定して、他端側を小口を回り込むようにして各頁に設けた平面基材（３）に面接触するように重ね合わせることができるように構成することが好ましい。
【００２８】
表表紙にレンチキュラーレンズ（１）の一端を連結部材（９）を介して固定する場合、見開き前頁（４）に平面基材（３）を設け、一方、裏表紙にレンチキュラーレンズ（１）の一端を連結部材（９）を介して固定する場合、見開き次頁（５）に平面基材（３）を設ける。
【００２９】
レンチキュラーレンズ（１）の一端は、表表紙又は裏表紙のうち、連結部材（９）を介して、天側（書籍を立てたときのいわゆる上部）、小口側｛綴じてある側以外の三方；本文を開く側（のどの反対側）、地側（書籍を立てたときのいわゆる下部）｝の少なくともいずれかに固定されればよく、天側と本文を開く側との２箇所に固定してもよい。天側と本文を開く側との２箇所にレンチキュラーレンズ（１）の一端を連結部材（９）を介して固定すると、いずれのレンチキュラーレンズ（１）を面接触させるかによって、画像が変化したり、変化しなかったりするようにできるため、読者（看者）が試行錯誤の楽しみを味わうことができる。
【００３０】
束と同じ長さを有する連結部材（９）は、レンチキュラーレンズ（１）が本発明の書籍から脱落しないようにするための他に、シリンドリカルレンズの配列方向が一定方向を保つようにレンチキュラーレンズ（１）を保持するためでもある。
【００３１】
レンチキュラーレンズ（１）の一端を天側又は地側に固定する場合、シリンドリカルレンズの配列方向がのどに対して平行になるように、すなわち、のどに対して垂直にシリンドリカルレンズが配列するように固定する。一方、レンチキュラーレンズ（１）の一端を本文を開く側に固定する場合、シリンドリカルレンズの配列方向がのどに対して垂直になるように、すなわち、のどに対して平行にシリンドリカルレンズが配列するように固定する。
【００３２】
本発明の書籍は、平面基材（３）を含む頁に凹部又は貫通孔（６）を設け、頁の凹部又は貫通孔（６）よりも小口側の箇所にレンチキュラーレンズ（１）の一端を固定し、他端側を平面基材（３）に面接触するように重ねて構成して、凹部又は貫通孔（６）に重なったレンチキュラーレンズ（１）を押したり離したりすることにより平面基材（３）に対してレンチキュラーレンズ（１）を相対的平行移動できるように構成することが好ましい。
【００３３】
平面基材（３）を含む頁に凹部又は貫通孔（６）を設け、頁の凹部又は貫通孔（６）よりも小口側の箇所にレンチキュラーレンズ（１）の一端を固定し、他端側を平面基材（３）に面接触するように重ねて構成すると、凹部又は貫通孔（６）に重なったレンチキュラーレンズ（１）を押したり離したりすることにより、レンチキュラーレンズ（１）の一部が凹部又は貫通孔（６）に入ったり出たりして、入り込む程度に対応して、固定されていない他端側のレンチキュラーレンズ（１）が相対的平行移動する。すなわち、凹部又は貫通孔（６）の深さが大きい程、相対的平行移動する距離が増加する。したがって、相対的平行移動する距離は、凹部又は貫通孔（６）の深さにより調整することができる。
【００３４】
平面基材（３）を含む頁に凹部又は貫通孔（６）を設けた上記の書籍は、レンチキュラーレンズ（１）と平面基材（３）との面接触を保たさせるための面接触保持部材（８）を、平面基材（３）を含む頁に設けることが好ましい。
【００３５】
面接触保持部材（８）は、レンチキュラーレンズ（１）と平面基材（３）との面接触を保たさせることができれば、構造等に制限はなく、たとえば、頁を袋とじにして、その一部に開口部を設けて、袋とじの中に平面基材（３）を配設し｛平面基材（３）と開口部付基材とから頁を構成してもよい）｝、レンチキュラーレンズ（１）を差込み、開口部からレンチキュラーレンズ（１）及びレンチキュラー画像（２）が見えるようにしてもよいし、レンチキュラーレンズ（１）の両端部（書籍の天側と地側）を押さえるスライダーを設けたり、頁ののど側と本文を開く側に帯状のスライダーを設けてレンチキュラーレンズ（１）を押さえるようにしてもよい。
【００３６】
本発明の書籍は、レンチキュラーレンズ（１）に対して平面基材（３）が相対的平行移動しないようにレンチキュラーレンズ（１）及び平面基材（３）を固定することが好ましい。
【００３７】
レンチキュラーレンズ（１）に対して平面基材（３）が相対的平行移動しないように固定する場合、レンチキュラーレンズ（１）は、シリンドリカルレンズの配列方向がのどに対して垂直になるようにして、すなわち、のどに対して平行にシリンドリカルレンズが配列するようにして固定することが好ましい。レンチキュラーレンズ（１）をこのように固定すると、頁をめくるごとに画像が変化して見えるようになる。
【００３８】
本発明の書籍は、レンチキュラーレンズのピッチが０．１〜０．４ｍｍであることが好ましい。
【発明の効果】
【００３９】
本発明の書籍は、印刷画像が変化して見え、画像が明るく、シャープかつ細やかな描画もできる。
したがって、比較的暗い画像であっても、また、細やかな描画であっても、よりリアルに再現できる。
また、文章と共に、印刷画像が変化するため、教育教材、訓練教材又は絵本等の種々の書籍として適用できる。
【図面の簡単な説明】
【００４０】
【図１】本発明の書籍の一態様｛見開き前頁（４）ののど側にレンチキュラーレンズ（１）の一端を固定した書籍｝について天側又は地側から模式的に示す概念図である。
【図２】本発明の書籍の一態様｛見開き前頁（４）ののど側にレンチキュラーレンズ（１）の一端を固定し、見開き次頁（５）に面接触保持部材（８）を設けた書籍｝について模式的に示す概念斜視図である。
【図３】本発明の書籍の一態様｛見開き前頁（４）ののど側に平面基材（３）の一端を固定し、見開き次頁（５）に面接触保持部材（８）を設けた書籍｝について模式的に示す概念斜視図である。
【図４】本発明の書籍の一態様｛連結部材（９）を介して表表紙又は裏表紙の小口側にレンチキュラーレンズ（１）の一端を固定した書籍｝について模式的に示す概念斜視図である。
【図５】本発明の書籍の一態様｛平面基材（３）を含む頁に凹部又は貫通孔（６）を設け、頁の凹部又は貫通孔（６）よりも小口側の箇所にレンチキュラーレンズ（１）の一端を固定し、平面基材（３）を含む頁に面接触保持部材（８）を設けた書籍｝について模式的に示す概念斜視図である。
【発明を実施するための形態】
【００４１】
以下、図面を用いて、本発明の書籍について、さらに詳細に説明する。なお特記しない限り、最初に説明した事項は、後ろの図面の説明においても共通して適用できる。
【００４２】
＜図１＞
図１は、本発明の書籍の一態様のうち、見開き前頁（４）の開閉に連動して見開き次頁（５）に設けた平面基材（３）に対してレンチキュラーレンズ（１）を相対的平行移動させるために、見開き前頁（４）ののど側にレンチキュラーレンズ（１）の一端を固定し、他端側を見開き次頁（５）に設けた平面基材（３）に面接触するように重ねて構成してなる書籍について、天側又は地側から模式的に示す図である。
【００４３】
図１では、最初の見開き頁｛見開き前頁（４）及び見開き次頁（５）｝にレンチキュラーレンズ（１）と平面基材（３）とを含んだ書籍を示しているが、書籍にレンチキュラーレンズ（１）と平面基材（３）とを含んでいれば、全ての頁にこれらを含んでもよいし、全ての頁のうち一部の頁にだけ含んでもよい。すなわち、本発明の書籍には、少なくとも一つのレンチキュラーレンズ（１）と少なくとも一つの平面基材（３）とを含んでいればよい。
【００４４】
レンチキュラーレンズ（１）の一端を固定する箇所（一端の全体を固定する場合、一端の少なくとも２箇所を固定する場合の両方を含む）は、のどに対して平行になるように固定し、また、見開き前頁（４）の開閉に連動して、見開き前頁（４）に対してこの固定部分を中心に自在に折れ曲がるように固定する。固定方法としては、たとえば、レンチキュラーレンズ（１）の一端（少なくとも２箇所）を折り曲げ自在にしてそのまま見開き前頁（４）に固定（接着等）してもよいし、開口部付紙台紙の開口部をレンチキュラーレンズ（１）で覆って｛レンチキュラーレンズ（１）の周り（一部又は全部）を開口部付紙台紙に固定（接着等）する｝、開口部付紙台紙の端部を折り曲げ自在にして固定（接着等）してもよいし、紙台紙にレンチキュラーレンズ（１）を重ね合わせこれらの天側及び／又は地側を固定（接着等）し、紙台紙とレンチキュラーレンズ（１）の間に本文を開く側（のどの反対側）から平面基材（３）を挟み込めるようにし、紙台紙の端部を折り曲げ自在に固定してもよい。
【００４５】
レンチキュラーレンズ（１）は、シリンドリカルレンズの配列方向がのどに対して垂直になるようにして、すなわち、のどに対して平行にシリンドリカルレンズが配列するようにして固定される。
【００４６】
本発明の書籍を閉じた状態から、見開き前頁（４）を開いていくと（曲線矢印）、レンチキュラーレンズ（１）が見開き次頁（５）に設けた平面基材（３）に対して相対的平行移動し（直線矢印）、逆に、見開き前頁（４）を閉じていくと（曲線矢印）、レンチキュラーレンズ（１）が見開き次頁（５）に設けた平面基材（３）に対して上記とは逆方向へ相対的平行移動する（直線矢印）。こうして、レンチキュラーレンズ（１）を通して見える画像が変化する。
【００４７】
見開き前頁（４）を閉じた状態から１８０度開いた状態にすると、レンチキュラーレンズ（１）の一端を固定した箇所からのどまでの長さの２倍の距離だけ、見開き前頁（４）の方向へレンチキュラーレンズ（１）が相対的平行移動する。したがって、レンチキュラーレンズ（１）の一端を固定する箇所（のどまでの長さ）を調整することによって、レンチキュラーレンズ（１）の相対的平行移動する距離を調整できる。
【００４８】
＜図２＞
図２は、図１で示した書籍のうち、レンチキュラーレンズ（１）と平面基材（３）との面接触を保たさせるための面接触保持部材（８）を見開き次頁（５）に設けた書籍について、模式的に示す斜視図である。
【００４９】
図２では、最初の見開き頁｛見開き前頁（４）及び見開き次頁（５）｝にレンチキュラーレンズ（１）と平面基材（３）とを含んだ書籍を示しているが、書籍にレンチキュラーレンズ（１）と平面基材（３）とを含んでいれば、全ての頁にこれらを含んでもよいし、全ての頁のうち一部の頁にだけ含んでもよい。すなわち、本発明の書籍には、少なくとも一つのレンチキュラーレンズ（１）と少なくとも一つの平面基材（３）とを含んでいればよい。
【００５０】
図２で示した書籍は、面接触保持材（８）として開口部付基材を用い、平面基材（３）と開口部付基材とから袋付見開き次頁（５）を構成して、見開き次頁（５）の袋の中にレンチキュラーレンズ（１）を差込み、開口部からレンチキュラーレンズ（１）及びレンチキュラー画像（２）が見えるようにしたものである。袋の中にあるレンチキュラーレンズ（１）は、破線で示している。
【００５１】
図２で用いた開口部付基材は、天側の約半分に開口部を設けたものであるため、下半分に文章、文字及び／又は絵画等を表すことができる。
【００５２】
面接触保持部材（８）は、レンチキュラーレンズ（１）と平面基材（３）との面接触を保たさせることができれば、構造等に制限はなく、上記の他に、たとえば、見開き次頁（５）を袋とじにして、その一部に開口部を設けて、袋とじの中に平面基材（３）を配設し、レンチキュラーレンズ（１）の一端から袋の中に差込み、開口部からレンチキュラーレンズ（１）及びレンチキュラー画像（２）が見えるようにしてもよいし、レンチキュラーレンズ（１）の両端部（書籍の天側と地側）を押さえるスライダーを設けたり、見開き次頁（５）ののど側に帯状のスライダーを設けてレンチキュラーレンズ（１）を押さえるようにしてもよい。
【００５３】
＜図３＞
図３は、本発明の書籍の一態様のうち、見開き前頁（４）の開閉に連動して見開き次頁（５）に設けたレンチキュラーレンズ（１）に対して平面基材（３）を相対的平行移動させるために、見開き前頁（４）ののど側に平面基材（３）の一端を固定し、他端側を見開き次頁（５）に設けたレンチキュラーレンズ（１）に面接触するように重ねて構成し、平面基材（３）とレンチキュラーレンズ（１）との面接触を保たさせるための面接触保持部材（８）を見開き次頁（５）に設けてなる書籍について、模式的に示す斜視図である。
【００５４】
図３では、最初の見開き頁｛見開き前頁（４）及び見開き次頁（５）｝にレンチキュラーレンズ（１）と平面基材（３）とを含んだ書籍を示しているが、書籍にレンチキュラーレンズ（１）と平面基材（３）とを含んでいれば、全ての頁にこれらを含んでもよいし、全ての頁のうち一部の頁にだけ含んでもよい。すなわち、本発明の書籍には、少なくとも一つのレンチキュラーレンズ（１）と少なくとも一つの平面基材（３）とを含んでいればよい。
【００５５】
平面基材（３）の一端を固定する箇所（一端の全体を固定する場合、一端の少なくとも２箇所を固定する場合の両方を含む）は、のどに対して平行になるように固定し、また、見開き前頁（４）の開閉に連動して、見開き前頁（４）に対してこの固定部分を中心に自在に折れ曲がるように固定する。固定方法としては、たとえば、平面基材（３）の一端（少なくとも２箇所）を折り曲げ自在にしてそのまま固定（接着等）してもよいし、紙台紙に平面基材（３）を重ね合わせ、紙台紙の端部を折り曲げ自在に固定してもよい。
【００５６】
レンチキュラーレンズ（１）は、シリンドリカルレンズの配列方向がのどに対して垂直になるようにして、すなわち、のどに対して平行にシリンドリカルレンズが配列するようにして、見開き次頁（５）に固定される。
【００５７】
図３で示した書籍は、面接触保持材（８）として開口部付基材を用い、見開き次頁（５）を袋とじにして、開口部をレンチキュラーレンズ（１）で塞ぎ、平面基材（３）の一端から袋の中に差込み、開口部からレンチキュラー画像（２）が見えるようにしたものである。袋の中にある平面基材（３）は、破線で示している。
【００５８】
図３で用いた開口部付基材は、天側の約半分に開口部を設けたものであるため、下半分に文章、文字及び／又は絵画等を表すことができる。
【００５９】
面接触保持部材（８）は、レンチキュラーレンズ（１）と平面基材（３）との面接触を保たさせることができれば、構造等に制限はなく、上記の他に、たとえば、平面基材（３）の両端部（書籍の天側と地側）を押さえるスライダーを設けたり、見開き次頁（５）ののど側に帯状のスライダーを設けて平面基材（３）を押さえるようにしてもよい。
【００６０】
見開き前頁（４）を閉じた状態から１８０度開いた状態にすると、平面基材（３）の一端を固定した箇所からのどまでの長さの２倍の距離だけ、見開き前頁（４）の方向へ平面基材（３）が相対的平行移動する。したがって、平面基材（３）の一端を固定する箇所（のどまでの長さ）を調整することによって、平面基材（３）の相対的平行移動する距離を調整できる。
【００６１】
＜図４＞
図４は、本発明の書籍の一態様のうち、束（書籍の表紙を除いた中味部分の厚さ）と同じ長さを有する連結部材（９）を介して表表紙又は裏表紙にレンチキュラーレンズ（１）の一端を固定して、他端側を小口を回り込むようにして各頁に設けた平面基材（３）に面接触するように重ね合わせることができるように構成してなる書籍について、模式的に示す斜視図である。
【００６２】
図４では、最初の見開き次頁（５）に平面基材（３）を含んだ書籍を示しているが、書籍にレンチキュラーレンズ（１）と平面基材（３）とを含んでいれば、全ての頁に平面基材（３）を含んでもよいし、全ての頁のうち一部の頁にだけ含んでもよい。すなわち、本発明の書籍には、少なくとも一つのレンチキュラーレンズ（１）と少なくとも一つの平面基材（３）とを含んでいればよい。
【００６３】
図４で示した書籍は、レンチキュラーレンズ（１）の一端が連結部材（９）を介して裏表紙に固定され、平面基材（３）が見開き次頁（５）に設けられている。一方、表表紙にレンチキュラーレンズ（１）の一端を連結部材（９）を介して固定する場合、見開き前頁（４）に平面基材（３）を設ける。
【００６４】
図４で示した書籍は、連結部材（９）を介して裏表紙の天側にレンチキュラーレンズ（１）の一端が固定されているものである。レンチキュラーレンズ（１）の一端は、表表紙又は裏表紙の小口側｛本文を開く側、天側、地側｝の少なくともいずれかに固定されればよい。そして、天側と本文を開く側との２箇所に固定してもよい。
【００６５】
束と同じ長さを有する連結部材（９）は、レンチキュラーレンズ（１）が本発明の書籍から脱落しないようにするための他に、シリンドリカルレンズの配列方向が一定方向を保つようにレンチキュラーレンズ（１）を保持するためでもある。
【００６６】
図４で示した書籍は、レンチキュラーレンズ（１）の一端を天側に固定しているため、シリンドリカルレンズの配列方向がのどに対して平行になるように、すなわち、のどに対して垂直にシリンドリカルレンズが配列するように固定している。なお、レンチキュラーレンズ（１）の一端を地側に固定する場合、シリンドリカルレンズの配列方向は上記と同様であるが、レンチキュラーレンズ（１）の一端を本文を開く側に固定する場合、シリンドリカルレンズの配列方向がのどに対して垂直になるように、すなわち、のどに対して平行にシリンドリカルレンズが配列するように固定する。
【００６７】
図４で示した書籍では、レンチキュラーレンズ（１）を頁から離すことができ、必要に応じて頁に面接触させて相対的平行移動させることができる。
【００６８】
＜図５＞
図５は、本発明の書籍の一態様のうち、平面基材（３）を含む頁に凹部又は貫通孔（６）を設け、頁の凹部又は貫通孔（６）よりも小口側の箇所にレンチキュラーレンズ（１）の一端を固定し、他端側を平面基材（３）に面接触するように重ねて構成し、レンチキュラーレンズ（１）と平面基材（３）との面接触を保たさせるための面接触保持部材（８）を、平面基材（３）を含む頁に設けて、凹部又は貫通孔（６）に重なったレンチキュラーレンズ（１）を押したり離したりすることにより平面基材（３）に対してレンチキュラーレンズ（１）を相対的平行移動できるように構成してなる書籍について、模式的に示す斜視図である。
【００６９】
図５では、最初の見開き次頁（５）にレンチキュラーレンズ（１）と平面基材（３）とを含んだ書籍を示しているが、書籍にレンチキュラーレンズ（１）と平面基材（３）とを含んでいれば、全ての頁にこれらを含んでもよいし、全ての頁のうち一部の頁にだけ含んでもよい。すなわち、本発明の書籍には、少なくとも一つのレンチキュラーレンズ（１）と少なくとも一つの平面基材（３）とを含んでいればよい。
【００７０】
図５で示される書籍は、平面基材（３）と開口部付基材｛面接触保持部材（８）｝とから袋とじ頁を構成し、この袋の中にレンチキュラーレンズ（１）を差込み、開口部からレンチキュラーレンズ（１）及びレンチキュラー画像（２）が見えるようにしてある。
【００７１】
面接触保持部材（８）は、レンチキュラーレンズ（１）と平面基材（３）との面接触を保たさせることができれば、構造等に制限はなく、たとえば、頁を袋とじにして、その一部に開口部を設けて、袋とじの中に平面基材（３）を配設し、レンチキュラーレンズ（１）を差込み、開口部からレンチキュラーレンズ（１）及びレンチキュラー画像（２）が見えるようにしてもよいし、レンチキュラーレンズ（１）の両端部（書籍の天側と地側）を押さえるスライダーを設けたり、頁ののど側と本文を開く側に帯状のスライダーを設けてレンチキュラーレンズ（１）を押さえるようにしてもよい。
【００７２】
図５で示される書籍は、平面基材（３）の地側に凹部又は貫通孔（６）を設け、さらに、この凹部又は貫通孔（６）よりも地側の箇所にレンチキュラーレンズ（１）の一端を固定してある。なお、レンチキュラーレンズ（１）の一端を固定は、上記の見開き前頁（４）への固定と同様にして行うことができる。
【００７３】
図５で示される書籍は、凹部又は貫通孔（６）に重なったレンチキュラーレンズ（１）を押したり離したりすることにより、レンチキュラーレンズ（１）の一部が凹部又は貫通孔（６）に入ったり出たりして、入り込む程度に対応して、固定されていない他端側のレンチキュラーレンズ（１）が相対的平行移動する。すなわち、凹部又は貫通孔（６）の深さが大きい程、相対的平行移動する距離が増加する。したがって、相対的平行移動する距離は、凹部又は貫通孔（６）の深さにより調整することができる。
【符号の説明】
【００７４】
１  レンチキュラーレンズ
３  平面基材
４  見開き前頁
５  見開き次頁
６  凹部又は貫通孔
７  のど
８  面接触保持部材
９  連結部材
【図１】
2012000965.tif 000003
【図２】
2012000965.tif 000004
【図３】
2012000965.tif 000005
【図４】
2012000965.tif 000006
【図５】
2012000965.tif 000007